(57)【要約】【課題】  展示品に画鋲の刺し孔を空けることなく、かつ画鋲の頭部を隠して見えなくし、壁に美しく手軽に展示することができ、また、ユーザの好みに応じて画鋲とフック等の掛止具を選択的に使用して展示することができる壁掛具および壁掛展示具を提供する。【解決手段】  展示品Ｇを壁Ｗに掛けて展示するための壁掛具１であって、前記展示品Ｇの裏面に付設される付設台２と、この付設台２にその基端部３１を回動自在に支持された立上板材３と、この立上板材３を貫通して形成された掛止孔５とを有しており、前記掛止孔５の前記展示品Ｇ側における外周縁部には、画鋲Ｐの頭部を収容可能な頭部収容溝６が形成されている。【選択図】  図１
2012247710.tif 000002
【特許請求の範囲】
【請求項１】
展示品を壁に掛けて展示するための壁掛具であって、
前記展示品の裏面に付設される付設台と、
この付設台にその基端部を回動自在に支持された立上板材と、
この立上板材を貫通して形成された掛止孔と
を有しており、
前記掛止孔の前記展示品側における外周縁部には、画鋲の頭部を収容可能な頭部収容溝が形成されている壁掛具。
【請求項２】
展示品を壁に掛けて展示するための壁掛具であって、
前記展示品の裏面に付設される付設台と、
この付設台にその基端部を回動自在に支持された立上板材と、
この立上板材を貫通して形成された掛止孔と
を有しており、
前記付設台には、前記立上板材が回動されて前記付設台に重ねられた場合に前記掛止孔と連通するとともに、画鋲の頭部を収容可能な頭部収容溝が形成されている壁掛具。
【請求項３】
前記付設台の両端部には、中央方向に摺動可能に設けられており、前記立上板材が前記展示品の裏面に倒された場合に、前記立上板材を前記展示品の裏面に押圧して固定するとともに、前記立上板材が前記展示品の裏面から立ち上げられた場合に、前記立上板材を保持して所定角度で固定するストッパーが設けられている請求項１または請求項２に記載の壁掛具。
【請求項４】
前記展示品を収容可能なフレーム状の展示具本体を有するとともに、この裏面に請求項１から請求項３のいずれかに記載の壁掛具を設けてなる壁掛展示具。
【請求項５】
前記壁掛展示具は、前記展示品を表示する表示部と、前記展示品を収容する収容部と、この収容部を封止する裏蓋とからなり、前記壁掛具の前記立上板材には、その基端部方向に延出され、前記立上板材が前記壁掛展示具の裏面から立ち上げられた場合に、前記裏蓋を押止する裏蓋押止部が設けられている請求項４に記載の壁掛展示具。
【発明の詳細な説明】
【技術分野】
【０００１】
本発明は、展示品を壁に掛けるための壁掛具および壁掛展示具に関するものであって、特に画鋲を使って展示品を壁に掛けるのに好適な壁掛具および壁掛展示具に関する。
【背景技術】
【０００２】
従来、色紙、写真、絵画、絵葉書等の展示品を画鋲を使って壁に刺して展示することがある。また、それら展示品を額縁等のフレーム状の展示具に収容して壁に掛けて展示することもある。このような展示品を壁に掛けるための壁掛展示具に関する発明もいくつか提案されている。
【０００３】
例えば、実用新案登録第３１２７６２７号公報には、展示品を目視しうる状態に保持する表示部と、展示品を差し替え可能に収容しうる保管部と、表示部の裏面を被覆する背板部と、この背板部の裏面に設けられて上方に折り起こし可能な壁掛け部と、この壁掛け部に設けられた孔部とを有する壁掛卓上ディスプレイ装置が提案されている（特許文献１）。この特許文献１によると、当該壁掛卓上ディスプレイ装置は、壁掛け部を前記表示部よりも上方に折り返して起こし、その孔部にフック等を通して展示品を壁に掛けて展示することができるものである。
【先行技術文献】
【特許文献】
【０００４】
【特許文献１】実用新案登録第３１２７６２７号公報
【発明の概要】
【発明が解決しようとする課題】
【０００５】
しかしながら、画鋲を使って展示品を壁に貼り付ける場合には、展示品に針を刺すため孔が空いてしまい、展示品の価値や外観を損ねてしまうし、画鋲の頭部が展示品の表に現れて目立つため美観を損ねてしまうという問題がある。
【０００６】
また、特許文献１に記載された発明においては、複数の展示品を上下に並べて展示する場合には、上方に折り返して起こされた壁掛け部が邪魔となり、不要なスペースを取らなければならないし、綺麗に整列させて展示することができないという問題がある。
【０００７】
本発明は、このような問題点を解決するためになされたものであって、展示品に画鋲の刺し孔を空けることなく、かつ画鋲の頭部を隠して見えなくし、壁に美しく手軽に展示することができ、また、ユーザの好みに応じて画鋲とフック等の掛止具を選択的に使用して展示することができる壁掛具および壁掛展示具を提供することを目的としている。
【課題を解決するための手段】
【０００８】
本発明に係る壁掛具は、展示品を壁に掛けて展示するための壁掛具であって、前記展示品の裏面に付設される付設台と、この付設台にその基端部を回動自在に支持された立上板材と、この立上板材を貫通して形成された掛止孔とを有しており、前記掛止孔の前記展示品側における外周縁部には、画鋲の頭部を収容可能な頭部収容溝が形成されている。
【０００９】
また、本発明に係る壁掛具は、展示品を壁に掛けて展示するための壁掛具であって、前記展示品の裏面に付設される付設台と、この付設台にその基端部を回動自在に支持された立上板材と、この立上板材を貫通して形成された掛止孔とを有しており、前記付設台には、前記立上板材が回動されて前記付設台に重ねられた場合に前記掛止孔と連通するとともに、画鋲の頭部を収容可能な頭部収容溝が形成されている。
【００１０】
また、本発明の一態様として、前記付設台の両端部には、中央方向に摺動可能に設けられており、前記立上板材が前記展示品の裏面に倒された場合に、前記立上板材を前記展示品の裏面に押圧して固定するとともに、前記立上板材が前記展示品の裏面から立ち上げられた場合に、前記立上板材を保持して所定角度で固定するストッパーが設けられていてもよい。
【００１１】
また、本発明に係る壁掛展示具は、展示品を収容可能なフレーム状の展示具本体を有するとともに、この裏面に前記壁掛具を設けてなる。
【００１２】
さらに、本発明の一態様として、前記壁掛展示具は、前記展示品を表示する表示部と、前記展示品を収容する収容部と、この収容部を封止する裏蓋とからなり、前記壁掛具の前記立上板材には、その基端部方向に延出され、前記立上板材が前記壁掛展示具の裏面から立ち上げられた場合に、前記裏蓋を押止する裏蓋押止部が設けられていてもよい。
【発明の効果】
【００１３】
本発明によれば、展示品に画鋲の刺し孔を空けることなく、かつ画鋲の頭部を隠して見えなくし、壁に美しく手軽に展示することができる。また、ユーザの好みに応じて画鋲とフック等の掛止具を選択的に使用して展示することができる。
【図面の簡単な説明】
【００１４】
【図１】本発明に係る壁掛具の一実施形態を示すものであって、展示品の裏面に取り付けた状態を示す斜視図である。
【図２】本実施形態における（ａ）立上板材が広げられている状態を示す側面断面図、（ｂ）立上板材を付設台側に回動されて裏面に伏せた状態（第一使用状態）を示す側面断面図、（ｃ）立上板材を付設台の裏面から立ち上げた状態（第二使用状態）を示す側面断面図である。
【図３】本実施形態におけるストッパーを示す斜視図である。
【図４】本実施形態における付設台のストッパー設置部とそこに設置されたストッパーとの位置関係を示す縦断面図である。
【図５】本実施形態の壁掛具における第一使用状態として頭部収容溝に画鋲の頭部を収容した状態を示す斜視図である。
【図６】本実施形態の壁掛具における第一使用状態として壁に掛けられた状態を示す側面断面図である。
【図７】本実施形態の壁掛具における第二使用状態として立上板材を付設台の裏面に立ち上げた状態を示す斜視図である。
【図８】（ａ）壁に掛止具が設けられている状態を示す側面断面図と、（ｂ）本実施形態の壁掛具における第二使用状態として掛止具を使って壁に掛けられた状態を示す側面断面図である。
【図９】本発明に係る壁掛展示具の一実施形態を示す展開斜視図である。
【図１０】本実施形態の壁掛展示具を示す正面斜視図である。
【図１１】本実施形態の壁掛展示具を示す背面斜視図である。
【図１２】本実施形態における壁掛展示具の裏蓋押止部を示す拡大斜視図である。
【図１３】本実施形態における壁掛展示具の第一使用状態を示す拡大斜視図である。
【図１４】本実施形態における壁掛展示具の第二使用状態を示す拡大斜視図である。
【図１５】他の実施形態における（ａ）付設台に形成した頭部収容溝と、（ｂ）掛止孔の外周縁に沿って形成した頭部収容溝と、（ｃ）掛止孔の外周縁および付設台の両方に沿って形成した頭部収容溝とを示す拡大断面図である。
【図１６】他の実施形態として立上部材に狭持部を設けた壁掛具における第二使用状態として立上板材を付設台の裏面に立ち上げた状態を示す斜視図である。
【発明を実施するための形態】
【００１５】
以下、本発明に係る壁掛具の一実施形態について図面を用いて説明する。図１は、本実施形態における壁掛具１を展示品Ｇの裏面に取り付けた状態を示す斜視図である。
【００１６】
なお、本発明において、展示品Ｇとは、例えば、色紙、写真、絵葉書、ホワイトボード、コルクボード、カレンダー等のように、壁に掛けられることのある全てのものを含む概念である。
【００１７】
図１に示すように、本実施形態の壁掛具１は、展示品Ｇの裏面に接着等されて設けられるものであり、主として、展示品Ｇの裏面に付設させる付設台２と、この付設台２に回動自在に設けられている立上板材３と、この立上板材３を所定の角度に固定するストッパー４とにより構成されている。以下、各構成について詳細に説明する。
【００１８】
付設台２は、立上板材３を取り付ける基台となるものであり、展示品Ｇの裏面に付設されている。本実施形態では、板状部材により形成されており、図１に示すように、その両端側にはストッパー４を設けるためのストッパー付設部２１が設けられている。付設台２の裏面には、接着剤や両面接着テープ等が接着等されており、適宜、展示品Ｇ等の裏面に接着可能に構成されている。
【００１９】
立上板材３は、略矩形状の板状部材により形成されており、その基端部３１が付設台２に回動自在に支持されている。本実施形態では、立上板材３および付設台２が、プラスチック等の化学合成樹脂により形成された化学合成樹脂の一体的な板材から構成されており、付設台２と立上板材３とを構成する境界部分に適度な深さの切り込みを形成することによって、立上板材３が付設台２に対して回動自在に形成されている。
【００２０】
なお、付設台２と立上板材３とを回動自在に支持する構造は、上記に限られるものではなく、様々な態様を採用することが可能であり、使用目的やニーズに応じて適宜選択される。例えば、立上板材３および付設台２とを別体に形成し、立上板材３の基端部３１と付設台２の接合部分に軸または軸受を取り付けて回動自在に軸支するようにしてもよい。また、両者の境界部分をゴム等の可撓性を有する素材により連結してもよい。あるいはセロファンテープや帯状の紙片等の薄い部材を使って接着することにより連結してもよい。さらには境界部分を蝶番等の回動可能な連結部材により連結してもよい。
【００２１】
また、付設台２および立上板材３に用いられる素材は、プラスチック等の化学合成樹脂に限定されるものではなく、段ボール等の厚紙や木材、金属等から適宜選択してよい。
【００２２】
また、立上板材３には掛止孔５が設けられている。この掛止孔５は、立上板材３を貫通することにより形成されている。また、この掛止孔３は、後述する第二使用状態において、図８（ａ）に示すような壁Ｗに設けられたフック等の掛止具Ｆを挿通して掛止させるための孔であり、かつ、後述する第一使用状態において、図１５に示すように、画鋲Ｐの針を挿通するとともに、後述する頭部収容溝６に収容した画鋲Ｐの頭部をその外周縁において押止するためのものである。
【００２３】
なお、本実施形態における掛止孔３は、図１に示すように中央位置に一つ設けられているが、その数は特に限定されるものではなく、展示品Ｇの大きさや重さ、壁Ｗに設けられた掛止具Ｆの種類や数等に応じて複数設けてもよい。また、掛止孔３の形状は円形のものに限らず、三角形や台形などの多角形状に形成されてもよいし、より安定して掛止できるように２つの円形孔を連ねた雪だるま状に形成してもよい。
【００２４】
また、壁Ｗに設けられる掛止具Ｆは、フック、押しピン、木ねじ等、壁Ｗに固定可能で、かつ掛止孔５に掛止可能なものから適宜選択されるものである。
【００２５】
次に、頭部収容溝６について説明する。頭部収容溝６は、画鋲Ｐの頭部を収容するためのものであり、本実施形態では、図１および図１５（ａ）に示すように、付設台２において、掛止孔５と連通するとともに、画鋲Ｐを収容可能な大きさに形成されている。よって、頭部収容溝６は、付設台２および立上板材３とともに画鋲Ｐを収容可能な空間を形成している。なお、頭部収容溝６は、収容された画鋲Ｐの位置を定めるために画鋲Ｐの頭部よりもわずかに大きい程度に形成されていればよく、円形状に限らず、楕円状や多角形状はもとよりその他の形状に形成してもよい。
【００２６】
また、頭部収容溝６の位置は、付設台２に限定されるものではなく、図１５（ｂ）に示すように、立上板材３の掛止孔３の外周縁部に設けられていてもよい。また、図１５（ｃ）に示すように、付設台２と立上板材３との両方に設けられていてもよい。
【００２７】
ストッパー４は、付設台２の両端において立上板材３が設けられている中央方向に摺動可能に設けられている。これによりストッパー４は、画鋲Ｐを収容した立上板材３を付設台２の裏面に倒した状態で上方から押圧して固定するとともに、立上板材３を付設台２の裏面から立ち上げられた状態で中央方向に摺動させ、立上板材３を両端部から狭持することにより保持して所定の角度で固定するものである。
【００２８】
本実施形態におけるストッパー４は、図１および図３に示すように、略矩形状の板材により形成されており、その先端部には、立ち上げられた状態の立上板材３を狭持する際に立ち上げた状態で保持する凹状の狭持部４１が形成されている。なお、前記狭持部４１は、図１６に示すように、立上板材３の両端部に設けてもよい。また、ストッパー４は、片側だけに設け、狭持部４１で立上板材３を狭持することにより、所定の角度で固定してもよい。
【００２９】
また、ストッパー４の底部は、図３に示すように、中央方向に摺動させるための凸状のスライド部４２を有している。
【００３０】
一方、付設台２の両サイドに設けたストッパー付設部２１には、図４に示すように、前記スライド部４２を摺動可能に嵌め合わせるスライド溝２２が形成されている。
【００３１】
次に、上述した本実施形態の壁掛具１の各構成の作用について説明する。
【００３２】
本発明に係る壁掛具１は、図２（ｂ）および図５に示すように、立上板材３を付設台２の裏面に倒した状態で用いられる第一使用状態と、図２（ｃ）および図７に示すように、立上板材３を付設台２の裏面から立ち上げた状態で用いられる第二使用状態との２つの使用状態とを選択可能に構成されている。そこで、以下、それぞれの使用状態における各構成の作用について説明する。
【００３３】
まず、第一使用状態について説明する。当初、立上板材３は、図１および図２（ａ）に示すように、展示品Ｇの裏面側に倒されている。画鋲Ｐを使用する場合、頭部収容溝６に、画鋲Ｐの針を後方に向けた状態で画鋲Ｐの頭部が収容される。このとき、画鋲Ｐの頭部と略同径に形成された頭部収容溝６は、画鋲Ｐが位置ズレしないように収容することができる。
【００３４】
そして、図２（ｂ）および図５に示すように、立上板材３を折り曲げるようにして回動させて、付設台２と重ね合わせる。これにより頭部収容溝６は付設台２とともに画鋲Ｐの頭部を収容する頭部収容空間を形成する。また、掛止孔５の外周縁が画鋲Ｐの頭部を押止することで、画鋲Ｐが頭部収容空間から飛び出さないようになっている。
【００３５】
その後、ストッパー４のスライド部４１を付設台２のスライド溝２２に沿って両端部から中央方向に向けて摺動させる。これによりストッパー４が立上板材３の上に移動され、画鋲Ｐを収容した立上板材３を押圧して固定する。
【００３６】
以上により壁掛具１は第一使用状態を構成する。この壁掛具１の第一使用状態は、図５および図６に示すように、展示品Ｇの裏面において画鋲Ｐの針が後方へ突出されており、展示品Ｇをそのまま壁Ｗ等に押しつけることで画鋲Ｐの針が壁Ｗに刺さり掛止することができる。このとき、画鋲Ｐは展示品Ｇの裏側に隠れており、表側からは見えないため美的外観が損なわれることがない。もとより展示品Ｇを画鋲Ｐの針で傷つけることもない。また、従来のような画鋲Ｐを刺すための壁掛け部が展示品Ｇの外側に飛び出していないため、複数の展示品Ｇを並べて展示する場合であっても、不要な隙間を設ける必要がなく整然と展示することができる。
【００３７】
なお、第一使用状態で使用された壁掛具１を壁Ｗ等から取り外す場合には、展示品Ｇを壁Ｗから引き剥がすようにすればよく、ストッパー４が立上板材３を強く固定しているため収容されている画鋲Ｐを落下させることもない。
【００３８】
次に、第二使用状態について説明する。第二使用状態は、図７および図８（ｂ）に示すように、立上板材３を付設台２の裏側で立ち上げて、掛止孔５に掛止具Ｆを挿通して掛止する状態である。
【００３９】
まず、立上板材３は、図２（ｃ）、図７および図８（ｂ）に示すように、展示品Ｇの裏面から所定の角度に起こされる。そして、ストッパー４は、中央方向に摺動して立ち上げ板材３を狭持する。このストッパー４の先端の狭持部４１により保持されることにより固定されている。よって、掛止孔５は、掛止具Ｆをバランスよく引っ掛けることができる。
【００４０】
以上により壁掛具１は第二使用状態を構成する。この壁掛具１の第二使用状態は、図７および図８（ｂ）に示すように、壁Ｗに固定された掛止具Ｆに掛止孔５を挿通させることにより、展示具Ｇを壁Ｗに掛止することができる。このとき、第一使用状態と同様に、展示品Ｇの正面からは掛止具Ｆが見えず、美的外観が損なわれることがない。また、従来の壁掛け部のような展示品Ｇから外側に飛び出した部分がないため、複数の展示品Ｇを展示する場合であっても、不要な隙間を設ける必要がなく整然と展示することができる。
【００４１】
以上のような本実施形態の壁掛具１によれば、以下の効果を得ることができる。
１．展示品Ｇを画鋲Ｐの針等で傷つけることなく壁Ｗに展示することができる。
２．画鋲Ｐや掛止具Ｆを外から見えないように隠せるため展示品Ｇを綺麗に展示することができる。
３．複数の展示品Ｇを隙間なく展示することができる。
４．展示品Ｇを画鋲Ｐを使って展示する場合と、壁Ｗに固定された掛止具Ｆを使って掛止する場合とを適宜選択することができる。
５．様々な態様の展示品Ｇであっても、その裏面に接着材等によって固着するだけで、極めて簡単に展示することができる。
【００４２】
次に、本発明に係る壁掛展示具の一実施形態について図面を用いて説明する。図９は、本実施形態における壁掛展示具１０を示す展開斜視図である。なお、本実施形態の構成のうち、上述した壁掛具１の実施形態の構成と同等または相当する構成については同一の符号を付し、再度の説明を省略する。
【００４３】
壁掛展示具１０は、展示品Ｇを収容するフレーム状の展示具本体１１と壁掛具１とから構成されている。本実施形態では、図９に示すように、展示具本体１１は、主として、写真や賞状等のシート状の展示品Ｇを収容して展示するのに好適なものであり、展示品Ｇを表示する表示部１２と、展示品Ｇを収容する収容部１３と、その収容部１３を封止する裏蓋１４とから構成されている。
【００４４】
展示具本体１１の表示部１２は、図１０に示すように、壁掛展示具１０の表面に設けられた透明なフィルム、アクリル板等の合成樹脂板またはガラス板等の素材によって構成されており、本実施形態では、フレーム状に形成された収容部１３に嵌め入れられている。
【００４５】
収容部１３は、板状部材により略長方形のフレーム状に形成されており、表示部１２と裏蓋１４との間にシート状の展示品Ｇを収容する収容空間を形成している。収容部１３の裏面には、その各内側辺に沿って裏蓋１４を嵌め入れるための嵌入溝１６が形成されている。
【００４６】
裏蓋１４は、収容部１３の裏面を覆って収容された展示品Ｇを封止するためのものである。本実施形態では、裏蓋１４の一辺が前記収容部１３の一辺に折り曲げ自在に連結されており、開閉可能に構成されている。そして、その一辺以外の他の各辺は、前記収容部１３の嵌入溝１６の形状に合わせて嵌入可能な形状に形成されている。また、裏蓋１４の四辺のうち折り曲げ可能な前記一辺以外の各辺には、裏面１４側に裏蓋押止板材１５によって押止されるための押止溝１７が形成されている。
【００４７】
壁掛具１は、図１２に示すように、収容部１３の枠部分に設けられている。また、本実施形態の壁掛具１の立上板材３は、基端部方向に延出された裏蓋押止部３２を有している。この裏蓋押止部３２は、裏蓋１４を押止するためのものである。なお、本実施形態の裏蓋押止部３２は、可撓性を有しており、第二使用状態として立上板材３が立ち上げられた際に、かるく曲げられて、裏蓋１４を押さえ付けるようになっている。
【００４８】
次に、本実施形態の壁掛展示具１０の各構成の作用について説明する。
【００４９】
展示具本体１１は、シート状の展示品Ｇを表示部１２側に表面を向けて収容部１３内に収容し、裏蓋１４を閉めて各辺を前記収容部１３の嵌入溝１６に嵌め入れて封止する。
【００５０】
図１２および図１３に示すように、第一使用状態として、立上板材３を付設台２の裏面に倒して頭部収容溝６と付設台２との間に形成された頭部収容空間に画鋲Ｐを収容し、立上板材３をストッパー４で固定し前記画鋲Ｐを押止する。
【００５１】
また、図１４に示すように、第二使用状態として、立上板材３を所定角度に立ち上げてストッパー４の狭持部４１で保持して固定し、掛止孔５に掛止具Ｆを挿通可能に構成する。裏蓋押止部３２は、立上板材３を立ち上げることで裏蓋１４を押止するように折り曲げられる。このとき、立上板材３の軸を境に裏蓋押止部３２側は短いため、てこの原理により、立上板材３をストッパー４で軽く抑えるだけで、裏蓋押止部３２側に強い押圧力を与えることができ、裏蓋１４が外れるのを防止することができる。また、本実施形態では、裏蓋押止部３２が可撓性を有しているため、裏蓋１４と密着して強く押止することができる。
【００５２】
以上のような本実施形態の壁掛展示具１０によれば、写真や賞状等、裏面に壁掛具１を貼り付け難い展示品Ｇやフレームに収容して飾りたい場合に、前記第一使用状態または前記第二使用状態を選択して壁Ｗに掛けることができる。
【００５３】
なお、本発明に係る壁掛具１および壁掛展示具１０は、前述した各実施形態に限定されるものではなく、適宜変更することができる。
【００５４】
例えば、立上板材３を所定角度に保持する方法は、前記ストッパー４により固定する方法に限定されるものではない。例えば、立上板材３の先端に凸状の嵌合凸部（図示せず）を形成するとともに、付設台２の所定位置に凹状の嵌合受部（図示せず）を設けることにより、前記嵌合凸部を前記嵌合受部に嵌め合わせることで、立上板材３を所定角度で保持するようにしてもよい。また、立上板材３と展示品Ｇとの間に所定角度に保持する支えを設けるようにしてもよい。
【符号の説明】
【００５５】
１  壁掛具
２  付設台
３  立上板材
４  ストッパー
５  掛止孔
６  頭部収容溝
１０  壁掛展示具
１１  展示具本体
１２  表示部
１３  収容部
１４  裏蓋
１５  裏蓋押止板材
１６  嵌入溝
１７  押止溝
２１  ストッパー付設部
２２  スライド溝
３１  基端部
３２  裏蓋押止部
４１  狭持部
４２  スライド部
Ｇ  展示品
Ｗ  壁
Ｆ  掛止具
Ｐ  画鋲
【図１】
2012247710.tif 000003
【図２】
2012247710.tif 000004
【図３】
2012247710.tif 000005
【図４】
2012247710.tif 000006
【図５】
2012247710.tif 000007
【図６】
2012247710.tif 000008
【図７】
2012247710.tif 000009
【図８】
2012247710.tif 000010
【図９】
2012247710.tif 000011
【図１０】
2012247710.tif 000012
【図１１】
2012247710.tif 000013
【図１２】
2012247710.tif 000014
【図１３】
2012247710.tif 000015
【図１４】
2012247710.tif 000016
【図１５】
2012247710.tif 000017
【図１６】
2012247710.tif 000018